(57)【要約】  【課題】案内誘導路内における遊技球の飛びムラを小さくして、遊技の興趣を高めることができる弾球遊技機を提供する。  【解決手段】発射装置２９から発射された遊技球を遊技盤上に設けられた遊技領域１１内に案内するための発射球案内部材６１を備えた弾球遊技機において、発射球案内部材６１に円弧状の発射球案内壁部６７を遊技盤５表面に対して起立した状態で形成し、前記遊技球案内壁部の下端部にスリットを形成し、金属製のガイドレール６２を発射球案内壁部６７の内側起立部の長手方向に沿って取り付けて、ガイドレールの下端に形成したクランク部を前記スリットに係止し、このガイドレール６２のうち発射装置２９の打球発射力を最小状態にした際に遊技球が衝接する位置から、前記打球発射力を最大状態にした際に衝接する位置までの範囲を発射球衝接部６２ｄとし、発射球衝接部６２ｄと発射球案内壁部６７との間に発射球衝撃吸収空間部８２を形成した。【選択図】図４
2008207017.tif 000002
【特許請求の範囲】
【請求項１】
遊技盤を収納可能な遊技盤収納フレームと、遊技球を発射するための発射装置と、該発射装置から発射された遊技球を誘導する発射レールと、矩形状の遊技盤の各辺に沿う状態で配置され、遊技盤上に遊技領域を区画する遊技領域区画部材と、発射レールの先端と遊技領域区画部材との間に開口したファール流下口と、
を備えた弾球遊技機において、
前記遊技領域区画部材は、発射レールから誘導された遊技球を遊技領域内に案内する発射球案内部材を含み、該発射球案内部材により遊技領域の左側を区画し、
前記発射球案内部材は、
前記発射レールからの遊技球を前記遊技領域に案内するために、円弧状の発射球案内壁部を遊技盤表面に対して起立した状態で形成し、
前面に、前記遊技盤収納フレームに設けられた爪片を引っかけて遊技盤を遊技盤収納フレームに収納するための遊技盤係止部を備え、
金属製のガイドレールを前記発射球案内壁部の内側起立部の長手方向に沿って取り付けるためのスリットを前記遊技球案内壁部の下端部に形成し、
前記ガイドレールは、
前記ファール流下口を飛び越えた遊技球が衝接し得る部分であって、前記発射装置の打球発射力を最小状態にした際に遊技球が衝接する位置から、前記打球発射力を最大状態にした際に衝接する位置までの範囲を発射球衝接部とし、下端にはクランク部を形成し、
前記発射球案内壁部のうちガイドレールの発射球衝接部と対向する部分を発射球案内壁部の上端に向かうにつれて次第に前記ガイドレールと前記発射球案内壁部との間隔を狭めるように、案内誘導路とは反対側に凹ませて凹部を形成して、前記発射球衝接部と発射球案内壁部とを離間させ、発射球衝接部のうちガイドレールの長さ方向に沿った長手方向の両端部を、凹部の縁として発射球案内壁部の長手方向の途中に形成された端部により案内誘導路とは反対側から支持し、前記ガイドレールのクランク部を前記スリットに係止し、
該発射球衝接部と発射球案内壁部との間でガイドレールの長さ方向に所定の間隔を配した発射球衝撃吸収空間部を形成したことを特徴とする弾球遊技機。
【発明の詳細な説明】
【技術分野】
【０００１】
本発明は、遊技盤の前面側に形成された遊技領域に対して発射装置から発射された遊技球が案内誘導路を介して遊技領域に送り込まれるように構成されたパチンコ遊技機等の弾球遊技機に関する。
【背景技術】
【０００２】
従来の技術を代表的な弾球遊技機であるパチンコ遊技機を例に挙げて説明する。従来のパチンコ遊技機の遊技盤は、金属帯板を割ピン状の釘により遊技盤の下端側から上端側にわたって円弧状に止着して外バンドとし、この外バンドの内側に金属帯板を同様の釘により横Ｃ字状に止着して内バンドとし、外バンドと内バンドの間の円弧状部分を遊技球の案内誘導路とし、内バンドと外バンドの上部に囲まれた円形部分を遊技領域とし、この遊技領域内に障害釘を植設するとともに入賞具を配設している。また、内バンドの先端部には戻り球防止部材を設け、案内誘導路から遊技領域に放たれた遊技球の案内誘導路への戻りを防止している。
【０００３】
しかしながら、従来のパチンコ機の遊技盤は、金属帯板を遊技盤表面に対して直交する状態で止着しなければならないので特殊な釘でなければ止着できないし、止着作業の作業性も悪い。また、金属帯板には、発射装置から発射された遊技球が頻繁に当たるので、金属帯板の位置が次第にずれて安定した打球を遊技領域に送り込めなくなる虞があった。この止着作業性および取付状態を改善すべく、案内誘導路が前面側に開口した断面コ字状となるように取付枠体を合成樹脂で一体成形し、この取付枠体を遊技盤に備えて、遊技球の案内誘導路を遊技盤上に設ける弾球遊技機が提案されている（特許文献１）。
また、合成樹脂の遊技球に対する摩耗性をカバーするために、案内誘導路の内側にガイドレールとしての金属バンドを設けたものが提案されている（特許文献２）。
【特許文献１】特許第３１４０５２２号公報
【特許文献２】実用新案登録第２５３５２４５号公報
【発明の開示】
【発明が解決しようとする課題】
【０００４】
ところが、上記した従来のものでは、発射装置から発射された遊技球が案内誘導路を区画する部材に衝接した際、この衝接の反動により案内誘導路の中で弾んでしまい、案内誘導路内において遊技球の飛びムラを引き起こすことがあった。そして、打球が遊技者の意図したとおりの軌跡で遊技領域内に進入しなかったり、あるいは、案内誘導路内にて失速して逆戻りし、ファール球となってしまったりして、遊技者の遊技意欲を損なわせてしまうことがあった。
【０００５】
そこで、本発明は、上記の事情に鑑みてなされたものであり、その目的は、案内誘導路内における遊技球の飛びムラを小さくして、遊技の興趣を高めることができる弾球遊技機を提供しようとするものである。
【課題を解決するための手段】
【０００６】
本発明は、上記目的を達成するために提案されたものであり、請求項１に記載のものは、遊技盤を収納可能な遊技盤収納フレームと、遊技球を発射するための発射装置と、該発射装置から発射された遊技球を誘導する発射レールと、矩形状の遊技盤の各辺に沿う状態で配置され、遊技盤上に遊技領域を区画する遊技領域区画部材と、発射レールの先端と遊技領域区画部材との間に開口したファール流下口と、
を備えた弾球遊技機において、
前記遊技領域区画部材は、発射レールから誘導された遊技球を遊技領域内に案内する発射球案内部材を含み、該発射球案内部材により遊技領域の左側を区画し、
前記発射球案内部材は、
前記発射レールからの遊技球を前記遊技領域に案内するために、円弧状の発射球案内壁部を遊技盤表面に対して起立した状態で形成し、
前面に、前記遊技盤収納フレームに設けられた爪片を引っかけて遊技盤を遊技盤収納フレームに収納するための遊技盤係止部を備え、
金属製のガイドレールを前記発射球案内壁部の内側起立部の長手方向に沿って取り付けるためのスリットを前記遊技球案内壁部の下端部に形成し、
前記ガイドレールは、
前記ファール流下口を飛び越えた遊技球が衝接し得る部分であって、前記発射装置の打球発射力を最小状態にした際に遊技球が衝接する位置から、前記打球発射力を最大状態にした際に衝接する位置までの範囲を発射球衝接部とし、下端にはクランク部を形成し、
前記発射球案内壁部のうちガイドレールの発射球衝接部と対向する部分を発射球案内壁部の上端に向かうにつれて次第に前記ガイドレールと前記発射球案内壁部との間隔を狭めるように、案内誘導路とは反対側に凹ませて凹部を形成して、前記発射球衝接部と発射球案内壁部とを離間させ、発射球衝接部のうちガイドレールの長さ方向に沿った長手方向の両端部を、凹部の縁として発射球案内壁部の長手方向の途中に形成された端部により案内誘導路とは反対側から支持し、前記ガイドレールのクランク部を前記スリットに係止し、
該発射球衝接部と発射球案内壁部との間でガイドレールの長さ方向に所定の間隔を配した発射球衝撃吸収空間部を形成したことを特徴とする弾球遊技機である。
【発明の効果】
【０００７】
以上説明したように、本発明によれば、次の効果を奏する。
すなわち、前記発射球案内部材は、前記発射レールからの遊技球を前記遊技領域に案内するために、円弧状の発射球案内壁部を遊技盤表面に対して起立した状態で形成し、金属製のガイドレールを該発射球案内壁部の内側起立部の長手方向に沿って取り付けるためのスリットを前記遊技球案内壁部の下端部に形成し、該ガイドレールは、前記ファール流下口を飛び越えた遊技球が衝接し得る部分であって、前記発射装置の打球発射力を最小状態にした際に遊技球が衝接する位置から、前記打球発射力を最大状態にした際に衝接する位置までの範囲を発射球衝接部とし、下端にはクランク部を形成し、前記発射球案内壁部のうちガイドレールの発射球衝接部と対向する部分を発射球案内壁部の上端に向かうにつれて次第に前記ガイドレールと前記発射球案内壁部との間隔を狭めるように、案内誘導路とは反対側に凹ませて凹部を形成して、前記発射球衝接部と発射球案内壁部とを離間させ、発射球衝接部のうちガイドレールの長さ方向に沿った長手方向の両端部を、凹部の縁として発射球案内壁部の長手方向の途中に形成された端部により案内誘導路とは反対側から支持し、前記ガイドレールのクランク部を前記スリットに係止し、発射球衝接部と発射球案内壁部との間でガイドレールの長さ方向に所定の間隔を配した発射球衝撃吸収空間部を形成したので、遊技盤の組立作業ではガイドレールの取付作業が容易であって、取り付けたガイドレールが脱落し難い。また、遊技においては、遊技球がガイドレールに衝接しても衝撃を吸収して弾み難くし、飛びムラを軽減させることができ、したがって、遊技者は発射装置を操作して意図したとおりに遊技球を遊技領域に送ることができて、遊技の興趣を高めることができ、また、発射球案内壁部の上端に向かうにつれて次第にガイドレールと発射球案内壁部との間隔を狭めるようにして凹部を形成するので、遊技盤表面の面積の有効利用を図ることができる。
【発明を実施するための最良の形態】
【０００８】
以下、代表的な弾球遊技機であるパチンコ遊技機を例に挙げて本発明の実施の形態を図面に基づき説明する。図１はパチンコ遊技機１およびカード球貸ユニット２の正面図、図２は前面枠３およびガラス枠４を開いた状態のパチンコ遊技機１の斜視図、図３はパチンコ遊技機１の遊技盤５の正面図である。
【０００９】
パチンコ遊技機１は、図１に示すように、大きな開口部を有する額縁状前面枠３の裏面に遊技盤収納フレーム６を固定し、該遊技盤収納フレーム６内に遊技盤５を着脱可能に装着し、遊技盤５の表面には、表示装置７、大入賞口８、一般入賞口９、アウト口１０…などを配設した遊技領域１１を形成し、ガラス枠４の下の開閉パネル１２には上皿１３を、前面枠３の下部中央に下皿１４を、下皿１４の右側に発射操作ハンドル１５を、左側に灰皿１６をそれぞれ設けてある。
【００１０】
一方、カード球貸ユニット２は、パチンコ遊技機１に一側（図中左側）に設けられており、前面のカード挿入部２０に挿入されたプリペイドカードのデータの読込・書込等を行うカードリーダライタと制御装置とを内蔵している（何れも図示せず）。そして、このカード球貸ユニット２用の操作パネル２１は前記上皿１３に設けられ、該操作パネル２１にはカード残高表示部２２、球貸スイッチ２３、カード返却スイッチ２４等が設けられている。
【００１１】
パチンコ遊技機１の前面枠３は、裏面側に遊技盤５を装着する遊技盤収納フレーム６を設け、該遊技盤収納フレーム６の下方に発射レール２７を取り付けた樹脂製のフレームボード２８を設けている。そして、遊技盤５は、フレームボード２８上に載置された状態でフレームボード２８のクランプや遊技盤収納フレーム６の側面に設けたクランプ（いずれも図示せず）により固定されている。
【００１２】
このフレームボード２８は、左上がり状態となるように発射レール２７を斜めに取り付けており、該発射レール２７の右下端側に位置する発射杵２９ａ及びこれを間欠的に回動動作させる駆動モータ２９ｂとを含んで成る発射装置２９を設けて、球送りレバー（図示せず）により発射レール２７上に供給された遊技球を、斜め上方に誘導して打ち出すことができるように構成されている。
【００１３】
この発射レール２７の先端部（傾斜上端部）の先方には、遊技盤５に円弧状に設けられた後述の発射球案内部材６１の下端（基端）が間隔をあけて配置されており、発射杵２９ａにより打ち出された発射球が、発射レール２７により誘導され、上記間隔を飛び越えて、発射球案内部材６１により案内されつつ遊技盤５の遊技領域１１の上部まで飛翔するようになっている。そして、上記した発射レール２７の先端部と発射球案内部材６１の基端部（あるいは発射球案内ユニット４３の基端部）との間に形成した間隔内にはファール流下口（ファール樋）３１を設けて、発射球案内部材６１内を落下してきたファール球が発射レール２７側に流下することなくファール流下口３１側に回収できるように構成されている。
【００１４】
前面枠３の正面開口部には、クリア部材たる透明ガラス３２を収納したロ字状のガラス枠４が遊技盤５を前方から覆う状態で配置され、そのガラス枠４の一側はヒンジにより前面枠３の一側に開閉可能に取り付けられている。
【００１５】
次に、遊技盤５上に遊技領域１１を区画する部材について説明する。
遊技盤５は、図３から図５に示すように、合板やプラスチックなどからなる矩形板４０の表面に、装飾用のセルシート４１を貼付し、該セルシート４１の上から矩形板４０の各辺に沿うようにして略円形に遊技領域１１を区画する遊技領域区画部材４２を止着している。この遊技領域区画部材４２は、発射装置２９から発射された遊技球を遊技領域１１へ案内し、遊技領域１１の左側を区画する略Ｃ字状の発射球案内ユニット４３と、該発射球案内ユニット４３の一端（図中右上端）に隣接した状態で止着し、遊技領域１１の右上側を区画する第１遊技領域区画部材４４と、上記発射球案内ユニット４３の他端（図中右下端）に隣接した状態で止着するとともに第１遊技領域区画部材４４に隣接した状態で止着し、遊技領域１１の右下側を区画する第２遊技領域区画部材４５とに３分割して構成されている。
【００１６】
第１遊技領域区画部材４４は、遊技領域１１側の端部に円弧状の第１区画壁４７を一体成形している。この第１区画壁４７は、途中にゴム材４８を挟んで遊技盤５の上部から左側中央部分に亘り遊技盤５の前方に向かって起立しており、発射球案内ユニット４３から遊技領域１１へ飛入した遊技球が遊技領域１１の外へ飛び出さないようにしている。また、第１遊技領域区画部材４４は、遊技盤５の側部に位置する部分に指先を引っ掛けられる程度の窪部４９ａを設けて、遊技盤５をフレームボード２８から着脱する際のハンドル部４９を形成し、さらに、遊技盤５とフレームボード２８との止着用クランプを当接する遊技盤取付部５０を備えている。
【００１７】
第２遊技領域区画部材４５は、遊技領域１１側の端部に円弧状の第２区画壁５１を一体成形している。この第２区画壁５１は、一端（図中上端）を第１区画壁４７の下端に連続するように設けられており、遊技盤５の左側中央部分から下部に亘り遊技盤５の前方に向かって起立している。さらに、この第２遊技領域区画部材４５は、発射球案内ユニット４３の下端に隣り合う第２区画壁５１の他端（図中左端）に、遊技球を遊技盤５の下側へ誘導するアウト口誘導棚５２と、該アウト口誘導棚５２の上方に位置してアウト口１０の入口を区画するアウト口縁部５３とを一体成形し、このアウト口誘導棚５２とアウト口縁部５３とを矩形板４０の下側に形成されたアウト口切欠部４０ａ（図５参照）の前方に位置させて、アウト口１０を構成している。そして、第２遊技領域区画部材４５は、遊技盤５のクランプ箇所となる遊技盤取付部５４を備え、また、前面の一部に認可シールや確率スペック等の表示シールを貼付して掲示する掲示部５５を備えている。
【００１８】
次に、発射球案内ユニット４３について説明する。
発射球案内ユニット４３は、遊技盤５の前面側に案内誘導路６０を形成する合成樹脂製の発射球案内部材６１と、該発射球案内部材６１に取り付けられる金属製ガイドレール６２と、該ガイドレール６２を発射球案内部材６１に遊技盤５の前方から止着するガイドレール止着部材６３とにより概略構成されており、左側部表面に遊技盤５を遊技盤収納フレーム６に止着する際にこの遊技盤収納フレーム６に設けられた爪片（図示せず）を引っ掛けるための遊技盤係止部６４を備えている。
【００１９】
発射球案内部材６１は、遊技盤５の前面側に取り付けるために略すみつき括弧状の取付ベース部６６を備え、該取付ベース部６６から遊技盤５の前方へ向かって起立する発射球案内壁部６７を遊技盤５の前面の下端側から上端側に亘って円弧状に形成し、発射球案内壁部６７から所定間隔を空けた内側の位置に、発射球案内壁部６７と略平行な状態となる円弧状の遊技領域区画部６８を、発射球案内壁部６７と同様に遊技盤５の前面の下端側から上端側に亘って形成し、発射球案内壁部６７と遊技領域区画部６８との間に挟まれた円弧状の空間を案内誘導路６０としている。この案内誘導路６０は、取付ベース部６６側（すなわち矩形板４０の表面側）に取付ベース部６６とともに合成樹脂で一体成形した底部６９を配している。したがって、案内誘導路６０と遊技領域区画部６８とは、上記した底部６９と合わせて、遊技盤５の前方に向かって開口した断面コ字状を形成するように位置している（図６（ｂ）参照）。
【００２０】
このように、発射球案内部材６１は、遊技盤５の前面側に取り付けるための取付ベース部６６を有し、発射球案内壁部６７は、取付ベース部６６から遊技盤５の前方に向かって起立したので、発射球案内壁部６７を確実且つ容易に遊技盤５へ固定することができる。したがって、遊技盤５の組立作業の工程数の減少を図り、これにより、組立作業を効率良く行うことができる。
【００２１】
また、発射球案内部材６１は、発射球案内壁部６７よりも内側に遊技領域１１を区画する遊技領域区画部（遊技領域区画壁部）６８を備えて、発射球案内壁部６７と遊技領域区画部６８との間で案内誘導路６０を形成し、該案内誘導路６０は、底部６９を取付ベース部６６とともに合成樹脂で一体成形して、遊技盤５の前方に向かって開口した断面コ字状に形成したので、案内誘導路６０を予め発射球案内部材６１に形成し、該発射球案内部材６１を遊技盤５に取り付けることで遊技領域１１と案内誘導路６０とを区画することができる。したがって、遊技盤５の組立時に発射球案内壁部６７と遊技領域区画部６８との間隔の調整を行う必要がなく、容易に案内誘導路６０と遊技領域１１とを区画することができ、遊技盤５の組立作業の効率化を図ることができる。
【００２２】
そして、発射球案内部材６１は、遊技領域区画部６８の上端部に遊技球の案内誘導路６０側への戻りを防止する戻り球防止部材７１を備えている。具体的に説明すると、発射球案内部材６１は、遊技領域区画部６８から遊技領域１１側へ延設した基板７２に防止部材回動軸７３を立設し、該防止部材回動軸７３に戻り球防止部材７１を回動可能な状態で嵌合し、該戻り球防止部材７１からばね板等の弾性を有する舌片部７４を延設し、該舌片部７４を発射球案内部材６１の案内誘導路６０の出口に臨ませた状態で配置している。そして、戻り球防止部材７１は、常態において、舌片部７４の先端とガイドレール６２の内面（遊技領域１１側面）との間隔を遊技球の直径より小さく設定している。
【００２３】
また、発射球案内部材６１は、図７に示すように、発射球案内壁部６７の上下両端周辺にガイドレール６２を取付可能なガイドレール取付ボス７６，７６を取付ベース部６６から突設し、該ガイドレール取付ボス７６，７６よりも遊技領域１１寄りの位置に、ガイドレール６２を係止するためのガイドレール係止壁７７，７７を設けている。また、ガイドレール係止壁７７は、ガイドレール６２の端部を差込可能な程度のスリット７８を介して発射球案内部材６１の内周面と一連になるように取付ベース部６６から前方に向かって起立している。さらに、この発射球案内部材６１は、発射球案内壁部６７の外側に角穴状のガイドレール止着部材係止部７９を複数箇所（本実施形態では２箇所）設けている。なお、上記したガイドレール取付ボス７６およびガイドレール係止壁７７にガイドレール６２を取り付けた状態や、ガイドレール止着部材係止部７９にガイドレール止着部材６３を係止した状態については、後で詳しく説明する。
【００２４】
ガイドレール６２は、発射球案内壁部６７と略同じ幅を有する帯状の金属板（例えば、ステンレス鋼板）により形成された部材であり、発射球案内壁部６７の内周面となる内側起立部に、その長手方向に沿って円弧状に湾曲した状態で取り付けられており、発射球案内壁部６７の上端部および下端部に止着されている。
そして、このガイドレール６２は、ガイドレール取付ボス７６に係止するためのガイドレール係止部６２ａを、上下両端に形成したクランク部６２ｂから延設するとともにガイドレール６２の長手方向中心に対して対称な形状を有した状態で形成している。なお、本実施形態におけるガイドレール６２は、具体的には板厚１．６ｍｍである。また、このガイドレール６２の材質は、上記したステンレス鋼に限らず、例えば、鉄に亜鉛メッキを施したものでもよい。
【００２５】
ガイドレール止着部材６３は、発射球案内壁部６７に取り付けたガイドレール６２が脱落したり、遊技盤５に対して前後方向、あるいは発射球案内壁部６７に沿ってずれたりしないようにするための部材であり、図６（ｂ）に示すように、断面略Ｕ字状の挟み込み部６３ａと、該挟み込み部６３ａの先端から外側へ延設した押止部６３ｂとにより構成されており、挟み込み部６３ａの押止部６３ｂとは反対側の外面には、ガイドレール止着部材係止部７９に係止するための係止爪片６３ｃを一体成形している。
【００２６】
なお、発射球案内壁部６７の起立端には、ガイドレール止着部材６３の押止部６３ｂが丁度嵌合できる程度の壁部側切欠部６７ａを、発射球案内壁部６７に取り付けられた際に前側に位置するガイドレール６２の端には、壁部側切欠部６７ａと同様に、ガイドレール止着部材６３の押止部６３ｂが丁度嵌合できる程度のレール側切欠部６２ｃをそれぞれ設けている（図８参照）。
【００２７】
そして、発射球案内部材６１は、上記したガイドレール６２のうち発射装置２９から発射されてファール流下口３１を飛び越えた遊技球が衝接（衝突）し得る発射球衝接部６２ｄと、発射球案内壁部６７との間に、ガイドレール６２の長さ方向に所定の間隔を配した発射球衝撃吸収空間部８２を形成している。なお、発射球衝接部６２ｄとは、ガイドレール６２上において、ファール流下口３１を飛び越えた遊技球が衝接し得る部分であって、発射装置２９の打球発射力を最小状態にした際に遊技球が衝接する位置から、打球発射力を最大状態にした際に衝接する位置までの範囲（図３および図４参照）を指す。
【００２８】
また、このガイドレール６２は、基本的（例えば、遊技者が発射操作ハンドル１５を握り易い位置で遊技球を打ち出す場合、あるいは発射装置の２９の打球発射力が、調整可能範囲の中間である場合）には、背面に発射球衝撃吸収空間部８２を形成した発射球衝接部６２ｄのほぼ中央に遊技球を衝接するようになっている。
【００２９】
具体的に説明すると、発射球案内部材６１は、発射球案内壁部６７のうち、発射球案内部材６１に取り付けたガイドレール６２の発射球衝接部６２ｄと対向する部分を、案内誘導路６０とは反対側に凹ませて、発射球衝接部６２ｄと発射球案内壁部６７とを離間させている。そして、発射球衝接部６２ｄは、長手方向の両端部、すなわち上記した最小打球発射力での遊技球の衝接位置と最大打球発射力での衝接位置とを、発射球案内壁部６７の途中に形成された端部により案内誘導路６０とは反対側から所謂両端支持梁の状態で支持している。
【００３０】
なお、発射球衝撃吸収空間部８２は、図９に示すように、一端（図中、上端）に向かうにつれて次第にガイドレール６２と発射球案内壁部６７との間隔を狭めて、前面から見たときに略三角形状の空間となるようにしてもよい。
【００３１】
このように発射球衝接部６２ｄの裏側（案内誘導路６０とは反対側）に発射球衝撃吸収空間部８２を設けて、発射装置２９からの遊技球がガイドレール６２に衝接すると、このガイドレール６２は、この衝接によって発射球案内壁部６７へ凹もうとする動きを拘束されることなく、発射球衝撃吸収空間部８２へ押されて僅かに撓むことができる。したがって、遊技球がガイドレール６２に衝接しても衝撃を吸収して弾み難くし、飛びムラを軽減させることができる。したがって、遊技者は発射装置２９を操作して意図したとおりに遊技球を遊技領域１１に送ることができて、遊技の興趣を高めることができる。
【００３２】
また、本実施形態のガイドレール６２は、図１０（ｂ）に示すように、発射球衝接部６２ｄの取付ベース部６６寄りの側端に切欠部８４を設けて、発射球衝撃吸収空間部８２に対向する箇所のガイドレール６２の幅を他の箇所のレール幅よりも狭くし、発射球衝接部６２ｄと取付ベース部６６とが接触しないように離間させてある。
【００３３】
このように構成することで、ガイドレール６２の発射球衝接部６２ｄに遊技球が衝接する際に、ガイドレール６２と取付ベース部６６とが擦れることがない。したがって、ガイドレール６２の発射球衝接部６２ｄがスムーズに発射球衝撃吸収空間部８２側に動いて、確実に遊技球の弾みを緩和することができる
【００３４】
そして、発射球案内部材６１は、図１１に示すように、取付ベース部６６の裏側から位置決めボス８６を複数（本実施形態では上下２つ）突設している。この位置決めボス８６は、先端をテーパ状にして、矩形板４０に穿孔した取付孔８７に嵌り易くしてあり、基部には、取付ベース部６６の裏面よりも一段低くして形成されたリング溝状のセル逃げ部８８を備えている。したがって、発射球案内ユニット４３を矩形板４０に取り付ける際に、取付孔の周辺にセルシート４１の反り返り部（所謂バリやカエリ）があっても、セル逃げ部８８がこの反り返り部を収納するので、取付ベース部６６を遊技盤５の表面に密着させることができる。
【００３５】
次に、ガイドレール６２の着脱について説明する。
上記したようなガイドレール６２を発射球案内壁部６７の内側起立部に取り付けるには、ガイドレール６２を発射球案内壁部６７に沿うように予め湾曲させて上下両端のクランク部６２ｂをスリット７８に合わせる。そして、発射球案内ユニット４３の前方（すなわち遊技盤５の前方）から上記クランク部６２ｂをスリット７８に通してクランク部６２ｂ先端をガイドレール係止壁７７に引っ掛けながら取付ベース部６６側へガイドレール６２を押し込み、ガイドレール６２の取付ベース部６６寄りの側端を底部６９（取付ベース部６６）に、ガイドレール係止部６２ａをガイドレール取付ボス７６の先端面にそれぞれ当接させる。ガイドレール係止部６２ａがガイドレール取付ボス７６の先端面に当接したならば、ガイドレール取付ボス７６に開設してある止着孔内にネジ等の止着部材（本実施形態では、フランジ付きなべネジ）９０を挿入して、ガイドレール係止部６２ａをガイドレール取付ボス７６に係止した状態で固定する。このようにして取り付けられたガイドレール６２の前面端は、遊技盤５からの高さが発射球案内壁部６７の起立端と揃った状態になる。また、ガイドレール６２は、起立位置や角度などの起立状態を取付ベース部６６に一体成形した発射球案内壁部６７に当接するだけで確実に決めることができるので、ガイドレール６２の取付作業を短時間で済ませることができる。
【００３６】
また、ガイドレール止着部材６３をガイドレール６２が取り付けられた発射球案内壁部６７に取り付けるには、挟み込み部６３ａを内側に撓ませながら、遊技盤５の前方からガイドレール止着部材係止部７９へ嵌合する。そして、押止部６３ｂがガイドレール６２の前側端を押止する状態まで挟み込み部６３ａを嵌め込み、各切欠部６２ｃ，６７ａに押止部６３ｂを嵌合した状態で撓みを解くと、係止爪片６３ｃがガイドレール止着部材係止部７９内の係止片７９ａに係止する。このようにして、挟み込み部６３ａとガイドレール止着部材係止部７９とが係止状態になり、ガイドレール止着部材６３は、ガイドレール６２の脱落を防止するとともに、発射球案内壁部６７上におけるガイドレール６２のガタつきを規制することができる。
【００３７】
そして、上記のようにガイドレール６２を取り付けた発射球案内ユニット４３を遊技盤５に取り付けるには、矩形板４０の取付孔８７に発射球案内ユニット４３の位置決めボス８６を嵌合して、セルシート４１を間に挟んだ状態で発射球案内ユニット４３を矩形板４０に取り付けて位置決めをし、取付ベース部６６に開設してある止着孔９１…内に釘やネジ等の止着部材を挿入して発射球案内ユニット４３を遊技盤５の表面に固定する。
【００３８】
さらに、各遊技領域区画部材４４，４５を矩形板４０に取り付けるには、まず、第２遊技領域区画部材４５を、アウト口縁部５３が矩形板４０のアウト口切欠部４０ａの縁に位置するように位置決めして止着孔９２…内に釘やネジ等の止着部材を挿入して固定し、次に、第１遊技領域区画部材４４を発射球案内ユニット４３の上端部および第２遊技領域区画部材４５の上端部に接続し、止着孔９３…内に釘やネジ等の止着部材を挿入して固定する。
【００３９】
一方、ガイドレール６２を発射球案内ユニット４３（すなわち発射球案内壁部６７）から取り外すには、まず、ガイドレール止着部材６３の係止爪片６３ｃ側の先端部を押止部６３ｂ側へ撓ませて、係止爪片６３ｃと係止片７９ａとの係止状態を解き、挟み込み部６３ａを撓ませたまま、ガイドレール止着部材６３を遊技盤５の前方に向かって引き抜いて、ガイドレール止着部材６３をガイドレール止着部材係止部７９から外す。そして、ガイドレール取付ボス７６の止着部材９０を外してガイドレール係止部６２ａの係止状態を解き、ガイドレール６２を手前に引き抜く。
【００４０】
このようにして遊技盤５上に取り付けられたガイドレール６２は、発射球案内ユニット４３（発射球案内部材６１）を遊技盤５に取り付けたままでも、上記した手順で簡単に着脱することができる。したがって、遊技盤５の組立作業や、遊技店におけるガイドレール６２の清掃あるいは交換の効率向上を図ることができる。
【００４１】
上記した実施形態では、ガイドレール６２の発射球衝接部６２ｄと発射球案内壁部６７との間に発射球衝撃吸収空間部８２を形成したが、図１２に示すように、この発射球衝撃吸収空間部８２に緩衝部材９５を収納してもよい。例えば、図１２(ａ)に示す実施形態では、緩衝部材９５は、複数のコイルばね９６…で構成されており、一端をガイドレール６２の発射球衝接部６２ｄに、他端を発射球衝接部６２ｄに対向する発射球案内壁部６７に係止して、ガイドレール６２を発射球案内壁部６７から離間させない程度に案内誘導路６０へ向けて付勢している。
【００４２】
また、図１２（ｂ）に示す実施形態では、緩衝部材として、流動体を充填した緩衝バッグ９７、例えば、気体を加圧封入したガスバッグ、あるいは液体を封入したリキッドバッグを採用している。具体的には、この緩衝バッグ９７は、発射球衝撃吸収空間部８２と略同じ体積を有しており、ビニールやゴム等のような柔軟性を有する外被材９８で袋を形成し、この袋内に気体あるいは液体（具体的には、空気あるいは水等）を封入している。このような緩衝バッグ９７を発射球衝撃吸収空間部８２に隙間なく収納すると、緩衝バッグ９７は、一側をガイドレール６２の発射球衝接部６２ｄに、他側を発射球衝接部６２ｄに対向する発射球案内壁部６７に当接することになる。そして、発射装置２９から発射された遊技球がファール流下口３１を超えて発射球衝接部６２ｄに衝接すると、発射球の衝接による衝撃が発射球衝接部６２ｄを通じて緩衝バッグ９７に伝達し、緩衝バッグ９７は、この衝撃を緩衝バッグ９７内の流動体（気体あるいは液体）全体に分散することができる。
【００４３】
このように、発射球案内部材６１は、発射球衝撃吸収空間部８２にガイドレール６２へ衝接する遊技球からの衝撃を緩和する緩衝部材９５を設けたので、ガイドレール６２が遊技球から受けた衝撃を緩衝部材９５にも分散および吸収させて、ガイドレール６２の損傷を抑えることができる
【００４４】
また、緩衝部材９５をガスバッグまたはリキッドバッグとしたので、発射球衝接部６２ｄの局所に受けた衝撃を緩衝部材全体に亘って分散させることができ、より一層確実に遊技球の弾みを緩和し、発射球の飛びムラを抑えることができる。
【００４５】
上記した実施形態は、代表的な弾球遊技機であるパチンコ遊技機を例にして説明したが、本発明はこれに限らず、遊技球を発射装置から案内誘導路を通して遊技領域に打込んで遊技を行う弾球遊技機であればどのような遊技機でもよい。例えば、内部に封入した遊技球を循環させる封入球式パチンコ機、アレンジボール式遊技機、雀球式遊技機等の弾球遊技機であってもよい。
【００４６】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４７】
【図１】パチンコ遊技機およびカード球貸ユニットの正面図である。
【図２】ガラス枠および前面枠を開いた状態のパチンコ遊技機の斜視図である。
【図３】パチンコ遊技機の遊技盤の正面図である。
【図４】パチンコ遊技機の遊技盤の斜視図である。
【図５】各遊技領域区画部材、および発射球案内ユニットの分解斜視図である。
【図６】発射球案内ユニットの断面状態を説明する図であり、（ａ）は遊技盤の断面箇所を示す図、（ｂ）は(ａ）におけるＡ−Ａ断面図である。
【図７】発射球案内ユニットのガイドレール取付ボスおよびガイドレール係止部を説明する図であり、（ａ）は遊技盤の断面箇所を示す図、（ｂ）は要部拡大図、（ｃ）は(ａ）におけるＢ−Ｂ断面図である。
【図８】ガイドレール、ガイドレール止着部材およびガイドレール止着部材係止部の分解斜視図である。
【図９】発射球衝撃吸収空間部の一例である。
【図１０】ガイドレールの発射球衝接部の断面を説明する図であり、（ａ)は遊技盤の断面箇所を示す図、（ｂ）は（ａ）におけるＣ−Ｃ断面図である。
【図１１】発射球案内ユニットの位置決めボスを説明する図であり、（ａ）は遊技盤の断面箇所を示す図、（ｂ）は（ａ）におけるＤ−Ｄ断面図である。
【図１２】発射球衝撃吸収空間部に緩衝部材を収納した状態図であり、（ａ）は複数のばねを収納した図、（ｂ）は緩衝バッグを収納した図である。
【符号の説明】
【００４８】
１  パチンコ遊技機
２  カード球貸ユニット
３  前面枠
４  ガラス枠
５  遊技盤
６  遊技盤収納フレーム
７  表示装置
８  大入賞口
９  一般入賞口
１０  アウト口
１１  遊技領域
１２  開閉パネル
１３  上皿
１４  下皿
１５  発射操作ハンドル
１６  灰皿
２０  カード挿入部
２１  操作パネル
２２  カード残高表示部
２３  球貸スイッチ
２４  カード返却スイッチ
２７  発射レール
２８  フレームボード
２９  発射装置
２９ａ  発射杵
２９ｂ  駆動モータ
３１  ファール流下口
３２  透明ガラス
４０  矩形板
４０ａ  アウト口切欠部
４１  セルシート
４２  遊技領域区画部材
４３  発射球案内ユニット
４４  第１遊技領域区画部材
４５  第２遊技領域区画部材
４７  第１区画壁
４８  ゴム材
４９  ハンドル部
４９ａ  窪部
５０  遊技盤取付部
５１  第２区画壁
５２  アウト口誘導棚
５３  アウト口縁部
５４  遊技盤取付部
５５  掲示部
６０  案内誘導路
６１  発射球案内部材
６２  ガイドレール
６２ａ  ガイドレール係止部
６２ｂ  クランク部
６２ｃ  レール側切欠部
６２ｄ  発射球衝接部
６３  ガイドレール止着部材
６３ａ  挟み込み部
６３ｂ  押止部
６３ｃ  係止爪片
６４  遊技盤係止部
６６  取付ベース部
６７  発射球案内壁部
６７ａ  壁部側切欠部
６８  遊技領域区画部
６９  底部
７１  戻り球防止部材
７２  基板
７３  防止部材回動軸
７４  舌片部
７６  ガイドレール取付ボス
７７  ガイドレール係止壁
７８  スリット
７９  ガイドレール止着部材係止部
７９ａ  係止片
８２  発射球衝撃吸収空間部
８４  切欠部
８６  位置決めボス
８７  取付孔
８８  セル逃げ部
９０  止着部材
９１  止着孔
９２  止着孔
９３  止着孔
９５  緩衝部材
９６  コイルばね
９７  緩衝バッグ
９８  外被材
【図１】
2008207017.tif 000003
【図２】
2008207017.tif 000004
【図３】
2008207017.tif 000005
【図４】
2008207017.tif 000006
【図５】
2008207017.tif 000007
【図６】
2008207017.tif 000008
【図７】
2008207017.tif 000009
【図８】
2008207017.tif 000010
【図９】
2008207017.tif 000011
【図１０】
2008207017.tif 000012
【図１１】
2008207017.tif 000013
【図１２】
2008207017.tif 000014